(57)【要約】【課題】第１カードと、この第１カードよりも肉厚かつ幅広で同じ長さから成る第２カードとのいずれかを選択的に装着させることができるカード用コネクタ装置の提供。【解決手段】ハウジング１の装着部１ｂに装着されるトレイ５は、第１カード１１と、この第１カード１１よりも肉厚かつ幅広で同じ長さから成る第２カード１２とが選択的に載置可能であり、奥側位置に第１カード１１を位置決め状態に載置可能な第１載置部５ｂを有し、手前側位置に第２カード１２を位置決め状態に載置可能な第２載置部５ｃを有するものであるとともに、トレイ５に、第１カード１１の先端部の表面を案内するガイド部１０を設け、このガイド部１０が、第２カード１２の先端部を位置決めする位置決め部を兼ねる構成にしてある。【選択図】図２
2008108696.tif 000002
【特許請求の範囲】
【請求項１】
本体を形成し、複数列のコンタクト端子が設けられるハウジングと、
上記コンタクト端子の該当するものに接触可能な接触部をそれぞれ有する複数のカードが選択的に載置可能で、上記ハウジングに設けられた装着部に装着されるトレイとを備え、
このトレイは、上記複数のカードのうちの第１カードと、この第１カードよりも肉厚かつ幅広で同じ長さから成る第２カードとが選択的に載置可能であり、奥側位置及び手前側位置の一方に、上記第１カードを位置決め状態に載置可能な第１載置部を有し、上記奥側位置及び手前側位置の他方に、上記第２カードを位置決め状態に載置可能な第２載置部を有し、
上記第１載置部に、上記第１カードの表面を案内するガイド部を設け、このガイド部が、上記第２カードを位置決めする位置決め部を兼ねることを特徴とするカード用コネクタ装置。
【請求項２】
上記請求項１記載の発明において、
上記第１載置部を上記トレイの奥側位置に設け、上記第２載置部を上記トレイの手前側位置に設け、
上記第１載置部が、上記第１カードの先端部の両隅部の双方を位置決めする位置決め部と、上記第１カードの後端部の両隅部のうちの一方の隅部を位置決めする位置決め部とを有し、
上記ハウジングの奥側位置に、上記第１カードの接触部と接触可能な第１コンタクト端子を設け、この第１コンタクト端子よりも手前側の上記ハウジングの位置に、上記第２カードの接触部と接触可能な第２コンタクト端子を設け、
上記ガイド部が、上記第１カードの先端部の表面を案内するとともに、上記第２カードの先端部を位置決めするものから成ることを特徴とするカード用コネクタ装置。
【請求項３】
上記請求項１記載の発明において、
上記第１載置部を上記トレイの手前側位置に設け、上記第２載置部を上記トレイの奥側位置に設け、
上記第１載置部が、上記第１カードの先端部の両隅部のうちの一方の隅部を位置決めする位置決め部と、上記第１カードの後端部の両隅部の双方を位置決めする位置決め部とを有し、
上記ハウジングの奥側位置に、上記第２カードの接触部と接触可能な第２コンタクト端子を設け、この第２コンタクト端子よりも手前側の上記ハウジングの位置に、上記第１カードの接触部と接触可能な第１コンタクト端子を設け、
上記第１ガイド部が、上記第１カードの後端部の表面を案内するとともに、上記第２カードの後端部を位置決めするものから成ることを特徴とするカード用コネクタ装置。
【請求項４】
上記請求項１〜３のいずれか１項記載の発明において、
上記トレイが、上記第２カードの側部に形成される凹部に係合可能な凸部を有することを特徴とするカード用コネクタ装置。
【発明の詳細な説明】
【技術分野】
【０００１】
本発明は、複数のカードが選択的に載置されるトレイが装着されるハウジングを有するカード用コネクタ装置に関する。
【背景技術】
【０００２】
この種の従来技術として特許文献１に示されるものがある。この特許文献１には、幅狭で長いカードと、幅広で短いカードとのいずれかを選択的に載置可能なメモリーカードホルダー、すなわちトレイと、このトレイが装着される装着部を有する筐体、すなわちハウジングとを備えたカード用コネクタ装置が開示されている。
【特許文献１】特開２００２−３２７１５公報
【発明の開示】
【発明が解決しようとする課題】
【０００３】
上述した従来技術では、トレイを介して幅狭で長いカードと、幅広で短いカードとを選択的に装着させる点は示されているが、同じ長さから成り、一方のカードが他方のカードよりも肉厚かつ幅広となる２つのカードのそれぞれを、選択的に装着させることについては考慮がなされていない。
【０００４】
本発明は、上述した従来技術における実状からなされたもので、その目的は、第１カードと、この第１カードよりも肉厚かつ幅広で同じ長さから成る第２カードとのいずれかを選択的に装着させることができるカード用コネクタ装置を提供することにある。
【課題を解決するための手段】
【０００５】
この目的を達成するために、本発明は、本体を形成し、複数列のコンタクト端子が設けられるハウジングと、上記コンタクト端子の該当するものに接触可能な接触部をそれぞれ有する複数のカードが選択的に載置可能で、上記ハウジングに設けられた装着部に装着されるトレイとを備え、このトレイは、上記複数のカードのうちの第１カードと、この第１カードよりも肉厚かつ幅広で同じ長さから成る第２カードとが選択的に載置可能であり、奥側位置及び手前側位置の一方に、上記第１カードを位置決め状態に載置可能な第１載置部を有し、上記奥側位置及び手前側位置の他方に、上記第２カードを位置決め状態に載置可能な第２載置部を有し、上記第１載置部に、上記第１カードの表面を案内するガイド部を設け、このガイド部が、上記第２カードを位置決めする位置決め部を兼ねることを特徴としている。
【０００６】
このように構成した本発明は、第１カードを装着させる際には、トレイの奥側位置、及び手前側位置の一方に形成される第１載置部に第１カードを位置決め状態に載置させてハウジングの装着部に装着させればよく、第２カードを装着させる際には、トレイの奥側位置、及び手前側位置の他方に形成される第２載置部に第２カードを位置決め状態に載置させてハウジングに装着させればよい。第１カードの位置決めは、第１張り出し部及び第２張り出し部を介して確実に行うことができる。これにより、第１カードと、この第１カードよりも肉厚かつ幅広で同じ長さから成る第２カードとのいずれかを選択的に装着させることができる。
【０００７】
このようにハウジングの装着部に第１カード、あるいは第２カードが装着された状態では、第１カードの接触部にハウジングの該当するコンタクト端子が接触し、あるいは第２カードの接触部にハウジングの該当するコンタクト端子が接触し、これらの第１カード、第２カードに対する信号の送受信が可能となる。
【０００８】
また、第１カードをトレイに載置する際には、ガイド部によって第１カードの表面が案内されるので、第１カードを第１載置部に円滑に載置させることができる。また、第２カードをトレイに載置する際には、ガイド部によって第２カードが位置決めされるので、第２カードを第２載置部に簡単に位置決めさせることができる。
【０００９】
また、本発明は上記発明において、上記第１載置部を上記トレイの奥側位置に設け、上記第２載置部を上記トレイの手前側位置に設け、上記第１載置部が、上記第１カードの先端部の両隅部の双方を位置決めする位置決め部と、上記第１カードの後端部の両隅部のうちの一方の隅部を位置決めする位置決め部とを有し、上記ハウジングの奥側位置に、上記第１カードの接触部と接触可能な第１コンタクト端子を設け、この第１コンタクト端子よりも手前側の上記ハウジングの位置に、上記第２カードの接触部と接触可能な第２コンタクト端子を設け、上記ガイド部が、上記第１カードの先端部の表面を案内するとともに、上記第２カードの先端部を位置決めするものから成ることを特徴としている。
【００１０】
このように構成した本発明は、トレイの奥側位置に形成された第１載置部に第１カードを載置する際には、第１カードの先端部の両隅部と、後端部の両隅部のうちの一方の隅部とが、それぞれ位置決め部によって位置決めされる。また、トレイの手前側位置に形成された第２載置部に第２カードを載置する際には、第２カードの先端部の両隅部と、後端部の両隅部とが、それぞれ位置決め部によって位置決めされる。このように、位置決めされた例えば第１カードが載置されたトレイをハウジングの装着部に装着すると、第１カードの接触部に、ハウジングの奥側位置に設けられた第１コンタクト端子が接触し、この第１カードに対する信号の送受信が可能となる。また、上述のようにして位置決めされた第２カードが載置されたトレイをハウジングの装着部に装着すると、第２カードの接触部に、ハウジングの手前側位置に設けられた第２コンタクト端子が接触し、この第２カードに対する信号の送受信が可能となる。なお、トレイの第１載置部に第１カードを載置する際には、ガイド部によって第１カードの先端部の表面が案内される。また、トレイの第２載置部に第２カードを載置する際には、ガイド部によって第２カードの先端部が位置決めされる。
【００１１】
また、本発明は上記発明において、上記第１載置部を上記トレイの手前側位置に設け、上記第２載置部を上記トレイの奥側位置に設け、上記第１載置部が、上記第１カードの先端部の両隅部のうちの一方の隅部を位置決めする位置決め部と、上記第１カードの後端部の両隅部の双方を位置決めする位置決め部とを有し、上記ハウジングの奥側位置に、上記第２カードの接触部と接触可能な第２コンタクト端子を設け、この第２コンタクト端子よりも手前側の上記ハウジングの位置に、上記第１カードの接触部と接触可能な第１コンタクト端子を設け、上記第１ガイド部が、上記第１カードの後端部の表面を案内するとともに、上記第２カードの後端部を位置決めするものから成ることを特徴としている。
【００１２】
このように構成した本発明は、トレイの手前側位置に形成された第１載置部に第１カードを載置する際には、第１カードの先端部の両隅部のうちの一方の隅部と、後端部の両隅部とが、それぞれ位置決め部によって位置決めされる。また、トレイの奥側位置に形成された第２載置部に第２カードを載置する際には、第２カードの先端部の両隅部と、後端部の両隅部が、それぞれ位置決め部によって位置決めされる。このように、位置決めされた例えば第１カードが載置されたトレイをハウジングの装着部に装着すると、第１カードの接触部に、ハウジングの手前側位置に設けられた第１コンタクト端子が接触し、この第１カードに対する信号の送受信が可能となる。また、上述のようにして位置決めされた第２カードが載置されたトレイをハウジングの装着部に装着すると、第２カードの接触部に、ハウジングの奥側位置に設けられた第２コンタクト端子が接触し、この第２カードに対する信号の送受信が可能となる。なお、トレイの第１載置部に第１カードを載置する際には、ガイド部によって第１カードの後端部の表面が案内される。また、トレイの第２載置部に第２カードを載置する際には、ガイド部によって第２カードの後端部が位置決めされる。
【００１３】
また、本発明は上記発明において、上記トレイが、上記第２カードの側部に形成される凹部に係合可能な凸部を有することを特徴としている。このように構成した本発明は、表裏を誤って第２カードがトレイに載置されようとしたときには、第２カードと凸部とが当たるので、第２カードをトレイの第２載置部に載置させることができない。すなわち、トレイに対する第２カードの表裏の誤装着を、トレイの凸部によって防止することができる。
【発明の効果】
【００１４】
本発明は、トレイが、第１カードを位置決め状態に載置可能な第１載置部と、第１カードよりも肉厚かつ幅広で同じ長さから成る第２カードを位置決め状態に載置可能な第２載置部とを有することから、第１カードと、この第１カードよりも肉厚かつ幅広で同じ長さから成る第２カードとのいずれかを選択的に装着させることができ、このような形状寸法関係にある第１カードと第２カードとを選択的に装着させたいという要望に応えることができる。また、トレイに設けたガイド部によって第１カードの表面が案内されて第１カードを第１載置部に円滑に載置させることができ、また、ガイド部によって第２カードを第２載置部に簡単に位置決めさせることができ、第１カード及び第２カードをトレイに容易に載置することができ、使い勝手が良い。
【発明を実施するための最良の形態】
【００１５】
以下，本発明に係るカード用コネクタ装置を実施するための最良の形態を図に基づいて説明する。
【００１６】
［本実施形態の構成］
図１は本発明に係るカード用コネクタ装置の一実施形態を示す透視平面図、図２は本実施形態に備えられるトレイを示す図で、（ａ）図は平面図、（ｂ）図は側面図、（ｃ）図は正面図、図３は図２に示すトレイの裏面図である。図４は本実施形態に備えられるトレイに第１カードが載置された状態を示す図で、（ａ）図は平面図、（ｂ）図は（ａ）図のＡ−Ａ断面図、（ｃ）図は正面図、図５は図４に示す状態にあるトレイの裏面図である。図６は本実施形態に備えられるトレイに第２カードが載置された状態を示す図で、（ａ）図は平面図、（ｂ）図は側面図、（ｃ）図は正面図、図７は図６に示す状態にあるトレイの裏面図である。
【００１７】
図１に示すように、本実施形態は、本体を形成するハウジング１と、このハウジング１の上部を覆うカバー部材４と、ハウジング１の挿入口１ａから挿入され、ハウジング１に形成された装着部１ｂの所定の装着位置に装着されるトレイ５とを備えている。
【００１８】
トレイ５には、図４，５に示す第１カード１１と、図６，７に示す第２カード１２、すなわち第１カード１１と同じ長さで、第１カード１１よりも肉厚かつ幅広の第２カード１２とが選択的に載置可能になっている。
【００１９】
図１に示すように、ハウジング１の装着部１ｂの奥側位置には、第１カード１１の接触部１１ａと接触可能な複数の第１コンタクト端子２を設けてあり、この第１コンタクト端子２よりも手前側のハウジング１の装着部１ｂの位置には、第２カード１２の接触部１２ａと接触可能な複数の第２コンタクト端子３を設けてある。
【００２０】
図１，２に示すように、トレイ５の一方の側部には、ハウジング１側に設けた付勢部材６が挿入可能な凹部５ａを形成してある。付勢部材６は、トレイ５のハウジング１への挿入に伴ってハウジング１内のカード挿抜方向に摺動するスライド部材１３に取り付けられている。スライド部材１３は、トレイ５の奥側端部と当接する係合部１３ａを備えており、トレイ５の挿抜の際に、トレイ５と一体的に挿入方向及び排出方向に摺動するようになっている。また、スライド部材１３は、図示しない付勢部材により排出方向に常時付勢されており、この図示しない付勢部材の付勢力に抗して、トレイ５がスライド部材１３と一体的にハウジング１の装着部１ｂの所定の装着位置に至ると、スライド部材１３は、図示しないロック機構によってロックされるようになっている。このスライド部材１３のロック機構は、図１に示すプッシュレバー７を押圧することによって解除され、スライド部材１３は図示しない付勢部材の付勢力により排出方向に移動し、この移動に伴いトレイ５も排出方向へ移動する。また、ハウジング１の奥側位置には、図１に示すように、トレイ５の装着状態を検出するように回動可能な検出アーム８と、この検出アーム８を、排出方向に付勢するとともに可動接点となる付勢部材９とを設けてある。トレイ５がハウジング１の装着部１ｂの所定の装着位置に至るまで挿入される間、トレイ５によって付勢部材９の付勢力に抗して検出アーム８が、挿入方向に回動するようになっている。そして、付勢部材９の一端は図示しない第１固定接点と常時接触しており、検出アーム８の回動により付勢部材９の他端が図示しない第２固定接点と接触し、第１固定接点と第２固定接点を導通するようになっている。
【００２１】
図２，４，６に示すように、トレイ５は、ハウジング１への装着時に第１コンタクト端子２に対応するよう、ハウジング１の装着部１ａの挿入口１ｂから遠い位置となる奥側位置に、第１カード１１を位置決め状態に載置可能な第１載置部５ｂを有し、ハウジング１への装着時に第２コンタクト端子３に対応するよう、ハウジング１の装着部１ａの挿入口１ｂに近い位置となる手前側位置に、第２カード１２を位置決め状態に載置可能な第２載置部５ｃを有している。
【００２２】
第１カード１１が載置される第１載置部５ｂは、図４に示すように、第２載置部５ｃの右側方に張り出し形成される第１張り出し部５ｂ１、及び第２載置部５ｃの先端部から張り出し形成される第２張り出し部５ｂ５を含むとともに、第１カード１１の先端部の双方を位置決めする、第２張り出し部５ｂ５によって形成した第１位置決め部５ｂ２、第２位置決め部５ｂ３と、第１カード１１の後端部の両隅部のうちの一方の隅部を位置決めする、第１張り出し部５ｂ１によって形成した第３位置決め部５ｂ４とを備えている。
【００２３】
第２カード１２が載置される第２載置部５ｃは、図６に示すように、第２カード１２の先端部の双方を位置決めする第４位置決め部５ｃ１、第５位置決め部５ｃ２と、後端部の双方を位置決めする第６位置決め部５ｃ３、第７位置決め部５ｃ４とを備えている。
【００２４】
このトレイ５の前枠５ｄには、図２等に示すように、図１に示したプッシュレバー７を押圧可能なピンが挿入される孔部５ｄ１を形成してある。また、トレイ５の第１載置部５ｂ及び第２載置部５ｃの奥側部分に相当する位置に、図５，７にも示すように、このトレイ５に載置された第１カード１１の接触部１１ａ、第２カード１２の接触部１２ａを露出させる空間部５ｅを形成してある。
【００２５】
また、トレイ５の奥側位置には、図２，４，６等に示すように、第１カード１１の表面を案内するガイド部１０を設けてある。このガイド部１０は、図６に示すように、第２カード１２の先端部を位置決めする位置決め部を兼ねている。
【００２６】
また、トレイ５には、図６に示すように、第２カード１２の側部に形成される凹部１２ｂに係合可能な凸部５ｃ５を形成してある。
【００２７】
なお、上述したハウジング１の上部を覆うように設けたカバー部材４は、トレイ５に載置された第１カード１１または第２カード１２のそれぞれの表面を案内するガイド部材を兼ねている。
【００２８】
［本実施形態の動作］
図８〜図１３は本実施形態の動作を示す図で、図８は第１カードが載置されたトレイがハウジングに装着される前の状態を示す透視平面図、図９は第１カードが載置されたトレイがハウジングに装着されたときの状態を示す透視平面図、図１０は第１カードが載置されたトレイがハウジングの装着部から排出されたときの状態を示す透視平面図である。図１１は第２カードが載置されたトレイがハウジングに装着される前の状態を示す透視平面図、図１２は第２カードが載置されたトレイがハウジングに装着されたときの状態を示す透視平面図、図１３は第２カードが載置されたトレイがハウジングの装着部から排出されたときの状態を示す透視平面図である。
【００２９】
例えば第１カード１１をハウジング１に装着させるに際し、図８に示すように、トレイ５の第１載置部５ｂに第１カード１１を載置することが行われる。この場合、第１カード１１の先端部をガイド部１０の下側に入り込ませるようにしてこの第１カード１１を押し込むと、第１カード１１の先端部の表面がガイド部１０によって案内され、図４に示すように、第１カード１１の先端部の両隅部の双方が第１位置決め部５ｂ２、第２位置決め部５ｂ３によって位置決めされ、第１カード１１の後端部の両隅部のうちの一方の隅部、すなわち右側の隅部が第３位置決め部５ｂ４によって位置決めされる。
【００３０】
このようにトレイ５の第１載置部５ｂに第１カード１１を載置した状態において、トレイ５をハウジング１の挿入口１ａから押し込むと、トレイ５に載置された第１カード１１の表面がカバー部材４によって案内される。そしてトレイ５の凹部５ａに付勢部材６が係合し、トレイ５の奥側端部がスライド部材１３の係合部１３ａと当接することでトレイ５の押し込みに伴ってスライド部材１３がトレイ５と一体的にハウジング１の奥側に向かって摺動する。トレイ５がハウジング１の装着部１ｂの所定の装着位置に装着された際に、スライド部材１３が図示しないロック機構でロックされる。この間、トレイ５によって検出アーム８が付勢部材９の付勢力に抗してハウジング１の奥側に向かって回動する。図９は、このようにトレイ５がハウジング１の装着部１ｂの所定の装着位置に装着された状態を示している。この状態に至ると、トレイ５の空間部５ｅを介して第１カード１１の接触部１１ａが第１コンタクト端子２に接触し、第１カード１１に対する信号の送受信が可能となる。また、検出アーム８の回動により付勢部材９の他端が図示しない第２固定接点と接触することで第１固定接点と第２固定接点が導通し、このことによりトレイ５がハウジング１の装着部１ａの所定の装着位置に装着されたことが検出できる。
【００３１】
このような状態から、トレイ５を排出させるには、トレイ５の前枠５ｄに形成された孔部５ｄ１からピンを挿入し、このピンによってプッシュレバー７を押圧すればよい。これによって、ロック機構のロックが解除され、図示しない付勢部材の付勢力によって、スライド部材１３が排出方向に移動してトレイ５を排出させ、図１０に示す状態となる。この状態からトレイ５を引き抜くと、付勢部材６とトレイ５の凹部５ａとの係合が解かれ、図８に示す状態となる。したがって、第１カード１１をトレイ５から取り出すことができる。
【００３２】
また、第２カード１２をハウジング１に装着させるに際し、図１１に示すように、トレイ５の第２載置部５ｃに第２カード１２を載置することが行われる。この場合、図６に示すように、第２カード１２の先端部をガイド部１０に突き当てるようにすると、第２カード１２の先端部の両隅部の双方が第４位置決め部５ｃ１、第５位置決め部５ｃ２によって位置決めされるとともに、この第２カード１２の後端部の両隅部の双方が第６位置決め部５ｃ３、第７位置決め部５ｃ４によって位置決めされる。さらに、第２カード１２の側部に形成した凹部１２ｂが、トレイ５に形成した凸部５ｃ５に係合した状態となる。
【００３３】
このようにトレイ５の第２載置部５ｂに第２カード１２を載置させた状態において、トレイ５をハウジング１の挿入口１ａから押し込むと、トレイ５に載置された第２カード１２の表面がカバー部材４によって案内される。上述した第１カード１１が載置されたトレイ５をハウジング１に装着させる場合と同様に、トレイ５の凹部５ａに付勢部材６が係合し、トレイ５の奥側端部がスライド部材１３の係合部１３ａと当接することで、トレイ５の押し込みに伴ってトレイ５と一体的にスライド部材１３がハウジング１の奥側に向かって摺動する。図１２に示すようにトレイ５がハウジング１の装着部１ｂの所定の装着位置に装着された際に、スライド部材１３が図示しないロック機構でロックされる。この間、トレイ５によって検出アーム８が付勢部材９の付勢力に抗してハウジング１の奥側に向かって回動する。この状態に至ると、トレイ５の空間部５ｅを介して第２カード１２の接触部１２ａが第２コンタクト端子３に接触し、第２カード１２に対する信号の送受信が可能となる。また、検出アーム８の回動により付勢部材９の他端が図示しない第２固定接点と接触することで第１固定接点と第２固定接点が導通し、このことによりトレイ５がハウジング１の装着部１ａの所定の装着位置に装着されたことが検出できる。
【００３４】
このような状態から、トレイ５を排出させるには、上述したように、トレイ５の前枠５ｄに形成された孔部５ｄ１からピンを挿入し、このピンによってプッシュレバー７を押圧すればよい。これによって、ロック機構のロックが解除され、図示しない付勢部材の付勢力によって、スライド部材１３が排出方向に移動してトレイ５を排出させ、図１３に示す状態となる。この状態からトレイ５を引き抜くと、係合部材６とトレイ５の凹部５ａの係合が解かれ、図１１に示す状態となる。したがって、第２カード１２をトレイ５から取り出すことができる。
【００３５】
［本実施形態の効果］
上述のように本実施形態によれば、第１カード１１を装着させる際には、トレイ５の奥側位置に形成される第１載置部５ｂに第１カード１１を位置決め状態に載置させて、このトレイ５をハウジング１の装着部１ｂの所定の装着位置に装着させればよく、第２カード１２を装着させる際には、トレイ５の手前側位置に形成される第２載置部５ｃに第２カード１２を位置決め状態に載置させて、このトレイ５をハウジング１の装着部１ｂの所定の装着位置に装着させればよい。これにより、第１カード１１と、この第１カード１１よりも肉厚かつ幅広で同じ長さから成る第２カード１２とのいずれかを選択的に装着させることができ、上述した形状寸法関係にある第１カード１１と第２カード１２とを選択的に装着させたいという要望に応えることができる。この際、第１カード１１は、第１張り出し部５ｂ１及び第２張り出し部５ｂ５を介して確実に位置決めすることができる。
【００３６】
また、第１張り出し部５ｂ１及び第２張り出し部５ｂ５を除くトレイ５の第１載置部５ｂの領域を、第２載置部５ｃの領域に含ませることができ、これによって第１カード１１及び第２カード１２の載置に要するトレイ５の領域を小さくすることができ、トレイ５の小型化と、これに伴う装置の小型化を実現させることができる。
【００３７】
また、第１カード１１または第２カード１２が載置されたトレイ５をハウジング１の装着部１ｂに装着させる際に、第１カード１１または第２カード１２の表面がカバー部材４によって案内されるので、第１カード１１または第２カード１２の円滑な装着を実現でき、信頼性の高い装置とすることができる。
【００３８】
また、第１カード１１をトレイ５に載置する際には、ガイド部１０によって第１カード１１の先端部の表面が案内されるので、第１カード１１を第１載置部５ｂに円滑に載置させることができる。また、第２カード１２をトレイ５に載置させる際には、ガイド部１０によって第２カード１２の先端部を第２載置部５ｃに簡単に位置決めすることができる。これらによって、第１カード１１及び第２カード１２をトレイ５に容易に載置することができ、使い勝手が良い。
【００３９】
また、表裏を誤って第２カード１２がトレイ５に載置されようとしたときには、第２カード１２とトレイ５の凸部５ｃ５とが当たるので、第２カード１２をトレイ５の第２載置部５ｃに正しく載置させることができない。すなわち、トレイ５に対する第２カード１２の表裏の誤装着を、トレイ５の凸部５ｃ５によって防止することができる。
【００４０】
［他の実施形態］
上記実施形態では、トレイ５に第２カード１２の側部に形成した凹部１２ｂに係合する凸部５ｃ５を設けることによって、第２カード１２の表裏の誤装着を防止するように構成してあるが、これとは別のトレイ５に対するカードの表裏誤装着防止手段を設けることができる。例えば第１カード１１の接触部１１ａが形成されている面に、あるいは第２カード１２の接触部１２ａが形成されている面に、突起を設け、この突起が挿入される係合穴をトレイ５に形成した構成とすることもできる。このように構成したものでは、第１カード１１あるいは第２カード１２の表裏が誤ってトレイ５に装着されようとすると、第１カード１１あるいは第２カード１２に形成した突起が露出するので、この突起の存在によって誤装着されようとしていることに容易に気付かされる。
【００４１】
また、上記実施形態では、トレイ５の第２載置部５ｃの側方から張り出し形成される第１載置部５ｂの第１張り出し部５ｂ１を、第２載置部５ｃの右側に設けてあるが、本発明は、このように構成することには限られず、この第１張り出し部５ｂ１を第２載置部５ｃの左側に設けた構成とすることもできる。
【００４２】
また、上記実施形態では、次のような構成としている。トレイ５に形成される第１載置部５ｂをトレイ５の奥側位置に設け、第２載置部５ｃをトレイ５の手前側位置に設けている。また、第１載置部５ｂが、第１カード１１の先端部の両隅部の双方を位置決めする第１位置決め部５ｂ２、第２位置決め部５ｂ３と、第１カード１１の後端部の両隅部のうちの一方の隅部を位置決めする第３位置決め部５ｂ４とを有している。また、第２載置部５ｃが、第２カード１２の先端部の両隅部の双方を位置決めする第４位置決め部５ｃ１、第５位置決め部５ｃ２と、第２カード１２の後端部の両隅部の双方を位置決めする第６位置決め部５ｃ３、第７位置決め部５ｃ４とを有している。また、第１載置部５ｂに設けられる第２張り出し部５ｂ５が、第２載置部５ｃの先端部から張り出し形成されたものから成る。また、ハウジング１の奥側位置に、第１カード１１の接触部１１ａと接触可能な第１コンタクト端子２を設け、この第１コンタクト端子２よりも手前側のハウジング１の位置に、第２カード１２の接触部１２ａと接触可能な第２コンタクト端子３を設けている。また、ガイド部１０によって第１カード１１の先端部の表面を案内させ、第２カード１２の先端部を位置決めさせている。発明を実施するための最良の形態としてこのように構成しているが、本発明は、このように構成することには限られない。
【００４３】
すなわち、上述した実施形態とは逆に、トレイ５に形成される第１載置部５ｂをトレイ５の手前側位置に設け、第２載置部５ｃをトレイ５の奥側位置に設けた構成にしてもよい。この場合には、第１載置部５ｂが、第１カード１１の先端部の両隅部のうちの一方の隅部を位置決めする位置決め部と、第１カード１１の後端部の両隅部の双方を位置決めする位置決め部とを有する構成とする。第２載置部５ｃは、上記実施形態におけるのと同様に、第２カード１２の先端部の両隅部の双方を位置決めする位置決め部と、第２カード１２の後端部の双方を位置決めする位置決め部とを有する構成とする。また、第１載置部５ｂに設けられる第２張り出し部５ｂ５を、第２載置部５ｃの後端部から張り出し形成させる。また、ハウジング１の奥側位置に、第２カード１２の接触部１２ａと接触可能な第２コンタクト端子３を設け、この第２コンタクト端子３よりも手前側のハウジング１の位置に、第１カード１１の接触部１１ａと接触可能な第１コンタクト端子２を設けた構成とする。また、ガイド部１０によって、第１カード１１の後端部の表面を案内させ、第２カード１２の後端部を位置決めさせるようにする。
【００４４】
このように構成したものも、第１カード１１と、この第１カード１１よりも肉厚かつ幅広で同じ長さから成る第２カード１２とのいずれかを選択的に装着させることができる。したがって、このような形状寸法関係にある第１カード１１と第２カード１２とを選択的に装着させたいという要望に応えることができる。また、第１張り出し部５ｂ１及び第２張り出し部５ｂ５を除く第１載置部５ｂの領域を、第２載置部５ｃ内に含ませることができ、これによって、第１カード１１及び第２カード１２の載置に要するトレイ５の領域を小さく設定することができ、トレイ５の小型化と、これに伴う装置の小型化を実現させることができる。
【００４５】
また、第１カード１１をトレイ５に載置する際には、ガイド部１０によって第１カード１１の後端部の表面が案内されるので、第１カード１１を第１載置部５ｂに円滑に載置させることができる。また、第２カード１２をトレイ５に載置させる際には、ガイド部１０によって第２カード１２の後端部を第２載置部５ｃに簡単に位置決めすることができる。これらによって、第１カード１１及び第２カード１２をトレイ５に容易に載置することができ、使い勝手が良い。
【図面の簡単な説明】
【００４６】
【図１】本発明に係るカード用コネクタ装置の一実施形態を示す透視平面図である。
【図２】本実施形態に備えられるトレイを示す図で、（ａ）図は平面図、（ｂ）図は側面図、（ｃ）図は正面図である。
【図３】図２に示すトレイの裏面図である。
【図４】本実施形態に備えられるトレイに第１カードが載置された状態を示す図で、（ａ）図は平面図、（ｂ）図は（ａ）図のＡ−Ａ断面図、（ｃ）図は正面図である。
【図５】図４に示す状態にあるトレイの裏面図である。
【図６】本実施形態に備えられるトレイに第２カードが載置された状態を示す図で、（ａ）図は平面図、（ｂ）図は側面図、（ｃ）図は正面図である。
【図７】図６に示す状態にあるトレイの裏面図である。
【図８】本実施形態の動作を示す図で、第１カードが載置されたトレイがハウジングに装着される前の状態を示す透視平面図である。
【図９】本実施形態の動作を示す図で、第１カードが載置されたトレイがハウジングに装着されたときの状態を示す透視平面図である。
【図１０】本実施形態の動作を示す図で、第１カードが載置されたトレイがハウジングの装着部から排出されたときの状態を示す透視平面図である。
【図１１】本実施形態の動作を示す図で、第２カードが載置されたトレイがハウジングに装着される前の状態を示す透視平面図である。
【図１２】本実施形態の動作を示す図で、第２カードが載置されたトレイがハウジングに装着されたときの状態を示す透視平面図である。
【図１３】本実施形態の動作を示す図で、第２カードが載置されたトレイがハウジングの装着部から排出されたときの状態を示す透視平面図である。
【符号の説明】
【００４７】
１    ハウジング
１ａ  挿入口
１ｂ  装着部
２    第１コンタクト端子
３    第２コンタクト端子
４    カバー部材
５    トレイ
５ａ  凹部
５ｂ  第１載置部
５ｂ１  第１張り出し部
５ｂ２  第１位置決め部
５ｂ３  第２位置決め部
５ｂ４  第３位置決め部
５ｂ５  第２張り出し部
５ｃ  第２載置部
５ｃ１  第４位置決め部
５ｃ２  第５位置決め部
５ｃ３  第６位置決め部
５ｃ４  第７位置決め部
５ｃ５  凸部
５ｄ  前枠
５ｄ１  孔部
５ｅ  空間部
６    付勢部材
７    プッシュレバー
８    検出アーム
９    付勢部材
１０    ガイド部
１１    第１カード
１１ａ  接触部
１２    第２カード
１２ａ  接触部
１２ｂ  凹部
１３    スライド部材
１３ａ  係合部
【図１】
2008108696.tif 000003
【図２】
2008108696.tif 000004
【図３】
2008108696.tif 000005
【図４】
2008108696.tif 000006
【図５】
2008108696.tif 000007
【図６】
2008108696.tif 000008
【図７】
2008108696.tif 000009
【図８】
2008108696.tif 000010
【図９】
2008108696.tif 000011
【図１０】
2008108696.tif 000012
【図１１】
2008108696.tif 000013
【図１２】
2008108696.tif 000014
【図１３】
2008108696.tif 000015